(57)【要約】【課題】  安全システムからの極めて重要なアラーム発生をオペレータが見逃さないアラーム監視装置を実現する。【解決手段】  プロセスで発生するアラームを監視するためのアラームウィンドウにアラーム情報を表示するアラーム監視装置に関するものである。  プラントを安全に運転するように監視する安全システムに関する情報を保有し、この情報に基づいて安全システムから発生したアラームを自動的に抽出するフィルタリング手段と、このフィルタリング手段で抽出したアラームをアラームウィンドウに表示するアラーム表示手段とを設けた。【選択図】                    図１
2006012023.tif 000002
【特許請求の範囲】
【請求項１】
プロセスで発生するアラームを監視するためのアラームウィンドウにアラーム情報を表示するアラーム監視装置において、
プラントを安全に運転するように監視する安全システムに関する情報を保有し、この情報に基づいて前記安全システムから発生したアラームを自動的に抽出するフィルタリング手段と、
このフィルタリング手段で抽出したアラームを前記アラームウィンドウに表示するアラーム表示手段と、
を有することを特徴とするアラーム監視装置。
【請求項２】
前記アラーム表示手段は、前記フィルタリング手段で抽出した安全システムからのアラームと、プロセスで発生したアラームの一覧とを同一画面上に分割表示することを特徴とする請求項１記載のアラーム監視装置。
【請求項３】
前記アラームウィンドウのツールバーに安全アラーム発生通知ボタンが設けられ、前記アラーム表示手段は、前記安全システムからアラームが発生したときに、前記安全アラーム発生通知ボタンにアラームが発生した旨の表示を行うことを特徴とする請求項１又は２記載のアラーム監視装置。
【請求項４】
前記アラーム表示手段は、前記安全アラーム発生通知ボタンが操作されたときに、前記安全システムから発生したアラームを前記アラームウィンドウに表示することを特徴とする請求項３記載のアラーム監視装置。
【請求項５】
前記安全アラーム発生通知ボタンは、前記安全システムからアラームが発生したときに表示色が変わることを特徴とする請求項３又は４記載のアラーム監視装置。
【請求項６】
プロセスで発生するアラームを監視するためのアラームウィンドウにアラーム情報を表示するアラーム監視装置において、
ステーション又は機器に関する情報を保有し、この情報のうち選択した条件と合致したアラームを自動的に抽出するフィルタリング手段と、
このフィルタリング手段で抽出したアラームを前記アラームウィンドウに表示するアラーム表示手段と、
を有することを特徴とするアラーム監視装置。
【発明の詳細な説明】
【技術分野】
【０００１】
本発明は、プロセスで発生するアラームを監視するためのアラームウィンドウにアラームを表示するアラーム監視装置に関するものである。
【背景技術】
【０００２】
プラントの生産制御システムにおいてプロセスに異常が発生した場合、オペレータはアラームウィンドウに表示されたアラームメッセージの内容を確認し、アラームの重要度、新規発生アラーム等の情報からどのアラームを先に処理するか判断している。
【０００３】
図３は従来のアラーム監視装置におけるアラームウィンドウを呼び出すイメージ図である。
図３で、システムメッセージウィンドウ１は、システムの操作監視用のヒューマン・インターフェイス・ステーション（ＨＩＳ）の表示部に常時表示されている。
プラントの生産制御システムにおいてアラームが発生すると、システムメッセージウィンドウ１上のアラームボタン１ａのアラームマークが点滅してアラームの発生をオペレータに知らせる。
オペレータはアラームボタン１ａを押すことにより、アラームウィンドウを表示し、アラームの内容を確認することができる。
【０００４】
図４は従来のアラーム監視装置におけるアラームウィンドウの画面例を示すイメージ図である。
図４で、アラームウィンドウ２には、アラームの発生順にメッセージが表示され、新規アラームが発生すると最上列にメッセージが追加されていき、全アラームのメッセージが一覧表示される。
【０００５】
アラームウィンドウ２のフィルタボタン２ａを押すと、アラームウィンドウ２に重畳して表示可能なアラームフィルタウィンドウ３がポップアップして開き、設備による分類３ａ領域と、アラーム発生の種別による分類３ｂ領域でフィルタリングすることができる。
アラームフィルタウィンドウ３が開く都度、オペレータがこれらのフィルタリング条件を入力し、ＯＫボタンを押すことで、入力したフィルタリング条件を満足するアラームのメッセージがアラームウィンドウ２に表示される。
【０００６】
アラームウィンドウに表示されるアラームに対するフィルタリング条件を設定するアラームフィルタウィンドウのフィルタ条件にアラームの重要度を設定するための領域を設けたアラーム監視装置として、例えば特許文献１に記載されたものがあった。
【特許文献１】特開２００３−５８９６７号公報
【発明の開示】
【発明が解決しようとする課題】
【０００７】
しかし、図４の従来例では次の問題点があった。
安全システムは、プラントを安全に運転するように監視するシステムであり、例えば、プラントの測定圧力が上がり過ぎた場合、制御システムからアラームが発生するが、さらに圧力が上がりプラントが爆発する危険があると安全システムからアラームが発生し、プラントを正常な状態に戻すのが不可能な数値まで上がればプラントを安全にシャットダウンする。
このように安全システムからのアラームは、危険をオペレータに通知する役目を果たすので、安全システムからアラームが発生するような緊急時は特にオペレータへのプレッシャーは大きく、冷静に処理することが求められる。
【０００８】
アラームが発生した場合、オペレータはアラームウィンドウに表示されたメッセージの内容を確認し、アラームの重要度、新規発生アラーム等の情報から、どのアラームを先に処理するかを判断するため、アラーム処理はオペレータの判断力に依存してしまうという問題点があった。
また、安全システムからのアラームを一目で見分ける方法がなく、オペレータはアラームウィンドウに表示されたメッセージのステーション名等から安全システムからのアラームであると判断しなければならないので、アラームへの対処が遅れたり、アラーム多発時には安全システムからの極めて重要なアラームを見逃す可能性があるという問題点があった。
【０００９】
本発明は上述した問題点を解決するためになされたものであり、安全システムから発生したアラームを自動的に抽出し、この抽出したアラームをアラームウィンドウに表示する構成にしたことによって、安全システムからの極めて重要なアラーム発生をオペレータが見逃さないアラーム監視装置を実現することを目的とする。
【課題を解決するための手段】
【００１０】
このような課題を達成するために、本発明は次のとおりの構成になっている。
（１）プロセスで発生するアラームを監視するためのアラームウィンドウにアラーム情報を表示するアラーム監視装置において、
プラントを安全に運転するように監視する安全システムに関する情報を保有し、この情報に基づいて前記安全システムから発生したアラームを自動的に抽出するフィルタリング手段と、
このフィルタリング手段で抽出したアラームを前記アラームウィンドウに表示するアラーム表示手段と、
を有することを特徴とするアラーム監視装置。
【００１１】
（２）前記アラーム表示手段は、前記フィルタリング手段で抽出した安全システムからのアラームと、プロセスで発生したアラームの一覧とを同一画面上に分割表示することを特徴とする（１）記載のアラーム監視装置。
【００１２】
（３）前記アラームウィンドウのツールバーに安全アラーム発生通知ボタンが設けられ、前記アラーム表示手段は、前記安全システムからアラームが発生したときに、前記安全アラーム発生通知ボタンにアラームが発生した旨の表示を行うことを特徴とする（１）又は（２）記載のアラーム監視装置。
【００１３】
（４）前記アラーム表示手段は、前記安全アラーム発生通知ボタンが操作されたときに、前記安全システムから発生したアラームを前記アラームウィンドウに表示することを特徴とする（３）記載のアラーム監視装置。
【００１４】
（５）前記安全アラーム発生通知ボタンは、前記安全システムからアラームが発生したときに表示色が変わることを特徴とする（３）又は（４）記載のアラーム監視装置。
【００１５】
（６）プロセスで発生するアラームを監視するためのアラームウィンドウにアラーム情報を表示するアラーム監視装置において、
ステーション又は機器に関する情報を保有し、この情報のうち選択した条件と合致したアラームを自動的に抽出するフィルタリング手段と、
このフィルタリング手段で抽出したアラームを前記アラームウィンドウに表示するアラーム表示手段と、
を有することを特徴とするアラーム監視装置。
【発明の効果】
【００１６】
本発明によれば次のような効果がある。
安全システムからのアラームをオペレータが一目で分かるように優先的に通知することにより、アラームが多発している場合でもオペレータは安全システムからの重要なアラームを見逃すことがなく、迅速にアラームに対する処理をすることができる。
このことにより、プラントの生成物、設備、人を守る等、プラントの安全な運転を図ることができ、また、オペレータの負担を軽減することができる。
【発明を実施するための最良の形態】
【００１７】
以下、図面を用いて本発明を詳細に説明する。
図１は本発明の一実施例を示す構成図である。この図では、制御ステーションが２つの場合の例を示す。
図１で、各プラント１０ａ、１０ｂのプロセスにて異常が発生すると、各制御ステーション１１ａ、１１ｂで異常が検出されアラーム監視装置１２に通知される。
アラーム収集手段１３は、各制御ステーション１１ａ、１１ｂから通知されたアラームを収集する。これにより、オペレータは各プラントで発生したアラームを表示部１４のアラームウィンドウ１５で確認することができる。
【００１８】
フィルタリング手段１６は、安全システムに関する情報を保有しており、この情報に基づいてアラーム収集手段１３で収集されたアラームのうち安全システムから発生したアラームを自動的に抽出する。
フィルタリング手段１６が保有している安全システムに関する情報とは、例えば、制御ステーション名、機能ブロック名等である。
【００１９】
アラーム表示手段１７は、アラーム収集手段１３で収集されたアラーム一覧をアラームウィンドウ１５に表示するとともに、フィルタリング手段１６で自動的に抽出した安全システムから発生したアラームをアラームウィンドウ１５に表示する。
【００２０】
図２は本発明のアラームウィンドウの画面例を示すイメージ図である。
図２で、アラームウィンドウ１５は、従来例と同様に図３のシステムメッセージウィンドウ１上のアラームボタン１ａを押すことにより、ＨＩＳの表示部に表示される。
安全システムからアラームが発生している場合、システムメッセージウィンドウ上のアラームボタンを押すと、アラームウィンドウ１５には、図１のアラーム収集手段１３で収集されたアラーム一覧２０と図１のフィルタリング手段１６で自動的に抽出した安全システムから発生したアラーム（安全アラーム）２１が分割表示される。
オペレータはアラームウィンドウ１５を表示した瞬間に安全システムからのアラームを一目で見分けることができ、見逃すこともなくなるので、安全システムからの極めて重要なアラームに対して迅速に処理することができるようになる。
【００２１】
アラームウィンドウ１５の表示後に、安全システムからのフィルタリングを解除したり、他の条件でフィルタリングしているときに、新たに安全システムからアラームが発生した場合でも安全システムからのアラームを見逃さないようにアラームウィンドウ１５のツールバーには安全アラーム発生通知ボタン１５ａが設けられている。
安全システムからアラームが発生すると、安全アラーム発生通知ボタン１５ａの表示が変色、点滅等により安全システムからのアラーム発生を通知する。
オペレータが安全アラーム発生通知ボタン１５ａを押すと、図１のフィルタリング手段１６で安全システムから発生したアラームを自動的に抽出し、図１のアラーム表示手段１７によりアラームウィンドウ１５にアラーム一覧２０と安全アラーム２１が分割表示される。
これにより、オペレータは、安全アラーム発生通知ボタン１５ａにより安全システムからのアラーム発生を見逃さず、安全アラーム発生通知ボタン１５ａを押すことにより安全システムから発生したアラームをアラームウィンドウに分割表示できるので、迅速に処理することができるようになる。
【００２２】
また、安全システムから発生したアラーム以外にも優先的に通知して欲しいアラームがある場合、そのアラーム監視対象のステーション、機器等の情報を図１のフィルタリング手段１６に設定することにより、この設定と合致するアラームを自動的に抽出することができるようになる。
【図面の簡単な説明】
【００２３】
【図１】本発明の一実施例を示す構成図である。
【図２】本発明のアラームウィンドウの画面例を示すイメージ図である。
【図３】従来のアラーム監視装置におけるアラームウィンドウを呼び出すイメージ図である。
【図４】従来のアラーム監視装置におけるアラームウィンドウの画面例を示すイメージ図である。
【符号の説明】
【００２４】
１２  アラーム監視装置
１５  アラームウィンドウ
１５ａ  安全アラーム発生通知ボタン
１６  フィルタリング手段
１７  アラーム表示手段
【図１】
2006012023.tif 000003
【図２】
2006012023.tif 000004
【図３】
2006012023.tif 000005
【図４】
2006012023.tif 000006